(57)【要約】  可撓性の壁を有する弾性チャンバ及び、弾性チャンバと流体容器との間の第１流体管路内にあり、流体容器から弾性チャンバに向かう方向のみに流体が流通する第１逆止弁を含むことで、弾性チャンバの壁が圧縮されると、流体が弾性チャンバと流体容器との間の第２流体管路を通って流体容器に戻るプライミングシステム。
2018515242.tif 000002
【特許請求の範囲】
【請求項１】
可撓性の壁を有する弾性チャンバと、
前記弾性チャンバと流体容器との間の第１流体管路内にあり、前記流体容器から弾性チャンバに向かう方向のみに流体が流通する第１逆止弁とを備えるプライミングシステムであって、
前記弾性チャンバの前記壁が圧縮されると、前記流体が前記弾性チャンバと前記流体容器との間の第２流体管路を通って前記流体容器に戻るプライミングシステム。
【請求項２】
前記第１流体管路及び前記第２流体管路が、前記流体容器に流体連結された収容部を通って延在する、請求項１に記載のプライミングシステム。
【請求項３】
前記収容部が、前記流体容器と前記第１逆止弁との間にドリップチャンバを備え、前記第１流体管路が前記ドリップチャンバを通って延在する、請求項２に記載のプライミングシステム。
【請求項４】
前記第２流体管路が前記ドリップチャンバを通って延在する、請求項２に記載のプライミングシステム。
【請求項５】
前記流体が前記流体容器から前記第１逆止弁を通って前記弾性チャンバ内へと運ばれるときに、前記弾性チャンバ壁が拡張する、請求項１に記載のプライミングシステム。
【請求項６】
前記弾性チャンバ壁が収縮し、その中の前記流体が前記第２流体管路を通って前記流体容器内へと案内される、請求項５に記載のプライミングシステム。
【請求項７】
第２逆止弁が、前記弾性チャンバと前記流体容器との間の前記第２流体管路内に設置され、流体が、前記第２逆止弁を、前記弾性チャンバから前記流体容器に向かう方向のみに流通する、請求項１に記載のプライミングシステム。
【請求項８】
前記弾性チャンバが半球形状である、請求項１に記載のプライミングシステム。
【請求項９】
ヒンジで連結された保持部材を更に備え、
前記保持部材が、閉鎖位置では、前記弾性チャンバ壁の拡張が妨害されるように前記弾性チャンバに係合する、請求項１に記載のプライミングシステム。
【請求項１０】
前記弾性チャンバが長尺の円筒である、請求項１に記載のプライミングシステム。
【請求項１１】
第１流体管路及び第２流体管路を有する収容部と、
可撓性の壁を有し、前記第１流体管路及び前記第２流体管路が流体連結された弾性チャンバと、
前記第１流体管路内にあり、前記弾性チャンバに向かう方向のみに流体の流れが通る第１逆止弁とを備えるプライミング装置であって、
前記弾性チャンバ壁が圧縮されると、流体が前記弾性チャンバの外に運ばれて前記第２流体管路を通るプライミング装置。
【請求項１２】
前記収容部がドリップチャンバを備えて、前記第１流体管路内へと受容された流体が、前記弾性チャンバ内へと入る前に前記ドリップチャンバ及び前記第１逆止弁を通って運ばれるようになっている、請求項１１に記載のプライミング装置。
【請求項１３】
前記弾性チャンバ壁が、前記弾性チャンバ内へと運ばれる前記流体によって拡張される、請求項１２に記載のプライミング装置。
【請求項１４】
前記弾性チャンバ壁が、手で押圧していないと拡張するように構成され、前記弾性チャンバ壁の拡張によって、前記第１流体管路を通って受容された流体が前記弾性チャンバ内へと引き込まれる、請求項１１に記載のプライミング装置。
【請求項１５】
前記弾性チャンバが半球形状である、請求項１１に記載のプライミング装置。
【請求項１６】
保持リングが、前記弾性チャンバが前記保持リングを通って延在し前記保持リングによって保持されるように、前記収容部に連結される、請求項１５に記載のプライミング装置。
【請求項１７】
第２逆止弁が、前記第２逆止弁を通る流体の流れが前記弾性チャンバから離れる方向のみになるように、前記第２流体管路内に設置される、請求項１１に記載のプライミング装置。
【請求項１８】
前記第１流体管路と前記第２流体管路とがそれぞれ、前記収容部を通る開口部を備え、各開口部が前記収容部の一部を通って並置されていることで、スパイクの画成を形成する、請求項１１に記載のプライミング装置。
【請求項１９】
前記第１流体管路が流入孔を備える、請求項１１に記載のプライミング装置。
【請求項２０】
前記孔が可撓性の弁を備え、前記弁が、密閉位置では前記流入孔を密閉し、前記弁が、開弁位置では前記流入孔を密閉しない、請求項１９に記載のプライミング装置。
【請求項２１】
流体を、収容部の第１流体管路内へと受容する工程と、
前記流体を前記第１流体管路内の第１逆止弁に通して、可撓性の壁を有する弾性チャンバ内へと案内する工程と、
前記可撓性の壁を手で圧縮して、前記流体を第２流体管路に通して案内する工程とを備える、プライミングの方法。
【請求項２２】
前記流体を前記弾性チャンバ内へと案内することで前記可撓性の壁を拡張させる、請求項２１に記載の方法。
【請求項２３】
前記流体を、前記第２流体管路内の第２逆止弁に通して案内する工程を更に備える、請求項２１に記載の方法。
【請求項２４】
前記流体を、流体容器から前記第１流体管路内へと受容する工程を更に備える、請求項２１に記載の方法。
【請求項２５】
前記流体を、前記第２流体管路から前記流体容器へと案内する工程を更に備える、請求項２４に記載の方法。
【請求項２６】
前記流体を、前記流体容器と前記第１逆止弁との間の第１流体管路に連結されたドリップチャンバに通して案内する工程を更に備える、請求項２４に記載の方法。
【発明の詳細な説明】
【技術分野】
【０００１】
本開示は、概して流体送達プライミングシステムに関する。より具体的には、本開示は、医療用流体容器に連結された管の内部から空気を抜くプライミング装置に関する。
【背景技術】
【０００２】
薬物治療及び血液といった医療用流体を患者に送って送達するのに、流体送達システムが広く使用されている。流体を静脈内送達する場合、空気が患者の血流内へと導入されるのを防止するように、流体送達システムから空気を放出するのが重要である。医師は、流体送達システム内に閉じ込められた空気が放出されるまで、医療用流体容器内の液体を管を通して案内することで、その閉じ込められた空気を放出することが多い。空気が放出された後、管内の液体の放出が開始され、流体流路が閉鎖するまで放出される。
【発明の概要】
【発明が解決しようとする課題】
【０００３】
流体送達システム内に閉じ込められた空気を流す処置は容器の上から行われることが多く、幾つかの場合（例えば化学療法治療を伴う場合）では、医療用流体に繰り返し接触することは医師にとって有害となりうる。多くの適用において、システムから流れる医療用流体の液体及び気体を保持することによって、医師に対する曝露を防止することが望ましい。
【課題を解決するための手段】
【０００４】
本開示の態様は、可撓性の壁を有する弾性チャンバと、弾性チャンバと流体容器との間の第１流体管路内にあり、流体容器から弾性チャンバに向かう方向のみに流体が流通する第１逆止弁とを備えるプライミングシステムであって、弾性チャンバの壁が圧縮されると、流体が弾性チャンバと流体容器との間の第２流体管路を通って流体容器に戻るプライミングシステムを提供する。
【０００５】
本開示の特定の実施によれば、第１流体管路及び第２流体管路は、流体容器に流体連結された収容部を通って延在する。幾つかの場合では、収容部は、流体容器と第１逆止弁との間にドリップチャンバを備え、第１流体管路はドリップチャンバを通って延在する。特定の実施では、第２流体管路はドリップチャンバを通って延在する。
【０００６】
本開示の特定の実施では、流体が流体容器から第１逆止弁を通って弾性チャンバ内へと運ばれるときに、弾性チャンバ壁は拡張する。幾つかの実施では、弾性チャンバ壁は収縮し、その中の流体が第２流体管路を通って流体容器内へと案内される。
【０００７】
本開示の幾つかの実施例では、第２逆止弁は、弾性チャンバと流体容器との間の第２流体管路内に設置され、流体は、第２逆止弁を、弾性チャンバから流体容器に向かう方向のみに流通する。幾つかの実施では、弾性チャンバは半球形状である。幾つかの実施例は、閉鎖位置では、弾性チャンバ壁の拡張が妨害されるように弾性チャンバに係合する、ヒンジで連結された保持部材を提供する。幾つかの場合では、弾性チャンバは長尺の円筒である。
【０００８】
本開示の態様は、第１流体管路及び第２流体管路を有する収容部と、可撓性の壁を有し、第１流体管路及び第２流体管路が流体連結された弾性チャンバと、第１流体管路内にあり、弾性チャンバに向かう方向のみに流体の流れが通る第１逆止弁とを備えるプライミング装置であって、弾性チャンバ壁が圧縮されると、流体が弾性チャンバの外に運ばれて第２流体管路を通るプライミング装置を提供する。本開示の特定の実施によれば、収容部がドリップチャンバを備えることで、第１流体管路内へと受容された流体が、弾性チャンバ内へと入る前にドリップチャンバ及び第１逆止弁を通って運ばれる。
【０００９】
本開示の特定の場合では、弾性チャンバ壁は、弾性チャンバ内へと運ばれる流体によって拡張される。幾つかの場合では、手動押圧ではない場合、弾性チャンバ壁は拡張するように構成され、弾性チャンバ壁の拡張によって、第１流体管路を通って受容された流体は弾性チャンバ内へと引き込まれる。幾つかの実施では、弾性チャンバは半球形状である。幾つかの実施例は保持リングを提供し、保持リングは、収容部に連結されることで、弾性チャンバが保持リングを通って延在し、保持リングによって保持される。
【００１０】
本開示の幾つかの実施例では、第２逆止弁が第２流体管路内に設置されることで、第２逆止弁を通る流体の流れが弾性チャンバから離れる方向のみになる。特定の実施例では、第１流体管路と第２流体管路とがそれぞれ、収容部を通る開口部を備え、各開口部が収容部の一部を通って並置されていることで、スパイクの画成を形成する。幾つかの実施例では、第１流体管路は流入孔を備える。幾つかの場合では、孔は可撓性の弁を備え、弁は、密閉位置では流入孔を密閉し、弁は、開弁位置では流入孔を密閉しない。
【００１１】
本開示の態様は、流体を、収容部の第１流体管路内へと受容する工程と、流体を第１流体管路内の第１逆止弁に通して、可撓性の壁を有する弾性チャンバ内へと案内する工程と、可撓性の壁を手で圧縮して、流体を第２流体管路に通して案内する工程とを備える、プライミングの方法を提供する。
【００１２】
本開示の特定の実施によれば、流体を弾性チャンバ内へと案内することで可撓性の壁を拡張させる。幾つかの実施例は、流体を、第２流体管路内の第２逆止弁に通して案内する工程を提供する。特定の実施例は、流体を、流体容器から第１流体管路内へと受容する工程を提供する。幾つかの場合は、流体を、第２流体管路から流体容器へと案内する工程を提供する。幾つかの実施例は、流体を、流体容器と第１逆止弁との間の第１流体管路に連結されたドリップチャンバに通して案内する工程を提供する。
【００１３】
本主題の技術の追加の特徴及び利点が以下の説明に明記され、一部は説明から明らかとなるか、又は本主題の技術の実施によって教示できるだろう。本主題の技術の利点は、本明細書に記載の説明及び請求項、並びに添付の図面に具体的に挙げられる構造によって実現され、達成されるだろう。
【００１４】
上述の概要及び後述の詳細な説明の両方が例示的且つ説明的であり、請求されている本主題の技術を更に説明するようになっていることが理解されよう。
【００１５】
本主題の技術を更に理解できるように含まれ、この説明の一部に組み込まれてこの説明の一部を構成する添付の図面は、本主題の技術の態様を示し、本明細書と共に本主題の技術の原理を説明する役割をもつ。
【図面の簡単な説明】
【００１６】
【図１Ａ】本開示の態様に係るプライミングシステムの実施例を示す。
【図１Ｂ】本開示の態様に係るプライミングシステムの動作を示すフローチャートである。
【図２】本開示の態様に係るプライミング装置の実施例の前面図を示す。
【図３】図２のプライミング装置の上面図を示す。
【図４Ａ】図２のプライミング装置の前面断面図を示す。
【図４Ｂ】図２のプライミング装置の一部の前面断面図を示す。
【図５】本開示の態様に係るプライミング装置の実施例の前面図を示す。
【図６】図５のプライミング装置の分解図である。
【図７Ａ】図５のプライミング装置の上面図を示す。
【図７Ｂ】図５のプライミング装置の上部断面図を示す。
【図８】図５のプライミング装置の前面断面図を示す。
【図９】本開示の態様に係るプライミング装置の実施例の部分的に分解された前面斜視図を示す。
【図１０】図９のプライミング装置の上面図を示す。
【図１１】図９のプライミング装置の前面断面図を示す。
【図１２】本開示の態様に係るプライミング装置の実施例の前面図を示す。
【図１３】図１２のプライミング装置の側面図を示す。
【図１４】図１２のプライミング装置の前面断面図を示す。
【図１５】本開示の態様に係るプライミング装置の実施例の前面斜視図を示す。
【図１６】図１５のプライミング装置の前面断面図を示す。
【図１７】本開示の態様に係るプライミング装置の実施例の前面斜視図を示す。
【図１８】図１７のプライミング装置の上面図を示す。
【図１９】図１７のプライミング装置の側面図を示す。
【図２０】図１７のプライミング装置の前面図を示す。
【図２１】図１７のプライミング装置の側面断面図を示す。
【発明を実施するための形態】
【００１７】
以下の詳細な説明には、本主題を理解できるように具体的な詳細が明記される。しかし、通常の当業者に対しては、これらの具体的な詳細の幾つかがなくとも本主題の技術を実施できることが明らかとなろう。他の場合では、本主題の技術を曖昧にしないように、既知の構造及び技術は示されていない。
【００１８】
「態様」といった表現は、こうした態様が本主題の技術に不可欠であること、又はこうした態様が本主題の技術の全ての構成に適用されることを暗示するものではない。態様に関する開示が、全ての構成又は１つ以上の構成に適用されてもよい。態様がその開示の１つ以上の例を提供してもよい。「態様」といった表現は１つ以上の態様及びその逆を意味してもよい。「実施例」といった表現は、こうした実施例が本主題の技術に対して不可欠であること、又はこうした実施例が本主題の技術の全ての構成に適用されることを暗示するものでない。実施例に関する開示が、全ての実施例又は１つ以上の実施例に適用されてもよい。実施例がその開示の１つ以上の例を提供してもよい。「実施例」といった表現は１つ以上の実施例及びその逆を意味してもよい。「構成」といった表現は、こうした構成が本主題の技術に対して不可欠であること、又はこうした構成が本主題の技術の全ての構成に適用されることを暗示するものでない。構成に関する開示が、全ての構成又は１つ以上の構成に適用されてもよい。構成がその開示の１つ以上の例を提供してもよい。「構成」といった表現は１つ以上の構成及びその逆を意味してもよい。
【実施例１】
【００１９】
図１Ａは、収容部１０２と、弾性チャンバ１０４と、逆止弁１０６と、ドリップチャンバ１０８と、流体容器１１０とを有するプライミングシステム１００の実施例を示す。図１Ｂを参照すると、フローチャートが、本開示の態様に係るプライミングシステムの動作を示している。工程９０２において、プライミング装置収容部は流体容器と連結される。工程９０４において、流体が流体容器から収容部及びドリップチャンバを通って運ばれる。工程９０６において、流体は、ドリップチャンバから逆止弁を通って弾性チャンバの流入口内へと案内される。工程９０８において、弾性チャンバの圧縮によって、液体と気体とを備える流体が、弾性チャンバの流出口から運ばれる。そして、工程９１０において、液体及び気体は、弾性チャンバから流体容器へと戻るように運ばれる。この動作の間、流体容器からの液体がプライミングシステムを通って引き出されることで、気体が流体容器内に収集される。この動作は、プライミングシステム内、若しくはより具体的にはプライミングシステムの管内に閉じ込められた気体が納得できる水準まで減少するまで、又は、気体が流体容器内に十分に収集されるか十分に案内されるまで繰り返される。幾つかの場合では、気体は、プライミングシステムの管の中に目に見える気泡又は空気のポケットが実質的に包含されていない場合、流体容器内に十分に収集されているか案内されている。気体が納得できる水準まで減少すると、工程９１２において、弾性チャンバの流出口は、流体容器から患者又はポンプへと案内し直されてもよい。幾つかの実施例では、弾性チャンバの流出口は無針医療接続器を通して流体容器と取外し可能に連結される。
【００２０】
図２〜図４Ｂを参照すると、弾性チャンバ２０４と逆止弁２０６とを有するプライミング装置の実施例が示されている。プライミング装置は、流体容器の孔へと挿入されるように構成されたスパイク部２１４を含むことができる収容部２０２を含む。収容部から遠位のスパイク部２１４の先端が、流入通路２１６と流出通路２１８とを含む。収容部は、流入通路２１６と流体連結される開口部２２０を更に含む。また、収納部は、流出通路２１８と流体連結される収容孔２２２も含む。
【００２１】
スパイク部２１４が流体容器の孔へと挿入されると、流入通路２１６は、流体容器内から収容部２０２に入るような、又は収容部２０２から流体容器内へと移動するような流体の案内を可能にする。流出通路２１８も、収容部２０２と流体容器との間の流体案内を可能にする。幾つかの実施例では、流入通路２１６は、主に、流体を流体容器内から収容部２０２へと案内するように機能し、流出通路２１８は、流体を収容部２０２から流体容器へと案内するように機能する。
【００２２】
スパイク部２１４の先端に対向する収容部２０２の一部が、開口部２２０の周囲に周隆起２２４を形成する。例えば長尺の円筒を形成するドリップチャンバ２０８が、収容部２０２の開口部２２０に連結される。ドリップチャンバ２０８の開口第１端部２２６が、開口部２２０がドリップチャンバ２０８と流体連結されるように、周隆起２２４に挿嵌される。
【００２３】
図４Ａ及び図４Ｂを参照すると、弾性チャンバ２０４は、逆止弁２０６が流体容器と弾性チャンバ２０４との間にあるように、連結管２５８を通して収容孔２２２に流体連結される。逆止弁２０６は、流体容器から弾性チャンバ２０４に向かう方向のみに流体の流れを限定し、弾性チャンバ２０４内の圧力が上昇したとき（例えば弾性チャンバ２０４が圧縮されたとき）に流体が流入通路２１６を通って流体容器に向かって流れるのを防止する。
【００２４】
弾性チャンバ２０４は、ドーム部分と、ドーム部分に対向する開口部とを有する円筒のような形状である。フランジ２３２が、開口部を囲んで弾性チャンバ２０４から径方向外方に延在する。弾性チャンバ２０４は、円筒壁とドーム部分とが、拡張又は圧縮された後に中間形状に戻るように、弾性材料を備える。材料及び形状は、弾性チャンバ２０４が、圧縮によって変形した後に、流体容器から流体を引き込むのに十分な拡張力を有するように選択される。幾つかの実施例では、弾性チャンバ２０４はナイロン、ポリウレタン、ポリエチレンテレフタレート（ＰＥＴ）又はポリ塩化ビニルから構成される。しかし、弾性チャンバ２０４は他のエラストマーであってもよい。幾つかの実施例では、弾性チャンバ２０４の厚さは０．０１５’’（０．０４ｃｍ）〜０．１００’’（０．２５ｃｍ）であり、Ａ２０〜Ａ８０のショア硬度を有する。
【００２５】
弾性チャンバ２０４の開口部は、台座２３４を形成する連結管２５８の一部に連結される。台座２３４は、弾性チャンバ２０４の開口部を受容して封止するように構成された周平面を含む。幾つかの実施例では、フランジ２３２の表面によって形成された平面が、台座２３４の外周の周囲に形成された隆起内に受容される。弾性チャンバ２０４は、弾性チャンバ２０４の周囲に延在して台座２３４の隆起部分と連結する周保持リング２３６によって、台座２３４に対して保持される。保持リング２３６が台座２３４に連結されると、弾性チャンバ２０４のフランジ２３２が保持リング２３６と台座２３４との間に捕らえられて、弾性チャンバ２０４と連結管２５８との間に流体密閉を形成する。
【００２６】
連結管２５８は、流入孔２３８と流出孔２４０とを備える。幾つかの実施例では、流入孔２３８と流出孔２４０とは、連結管２５８と台座２３４との同軸上を通って延在する流体通路を形成する。逆止弁２０６は、流入孔２３８内に保持されることで、連結管２５８を通って弾性チャンバ２０４に向かう方向のみに流体の流れを限定する。弾性チャンバ２０４が圧縮されるとチャンバ内の圧力が上昇する。上昇した圧力は流体を弾性チャンバ２０４の外へと運ぶ。流入孔２３８内に逆止弁２０６があることから、流体は弾性チャンバ２０４から流出孔２４０を通って案内される。
【００２７】
幾つかの実施例では、流入孔２３８は無針医療接続器２１２を含む。無針医療接続器２１２は、流入孔２３６内に設置された弁２４６を含む。弁２４６は、密閉位置では流入孔２３８を密閉し、弁２４６は、開弁位置では流入孔２３８を密閉しない。
【００２８】
連結管２５８の流出孔２４０は収容孔２２２と流体連結される。幾つかの実施例では、流出孔２４０は、逆止弁２４４を含むことで、連結管２５８を通って弾性チャンバ２０４から収容孔２２２に向かう方向のみに流体の流れを限定する。幾つかの実施例では、逆止弁２４４は、流出孔２４０と収容孔２２２との連結内、又は収容部２０２の流出通路２１８内に保持される。幾つかの実施例では、逆止弁２０６及び２４４はダックビル型逆止弁である。しかし、逆止弁２０６及び２４４は、傘型弁又はディスク弁といった、一般に流体を弁の一方向のみに流通させる任意の種類の弁であってもよい。
【００２９】
動作中、スパイク部２１４は、流入通路２１６及び流出通路２１８が流体容器と流体連通するように、流体容器の孔へと挿入される（図１Ａ）。流体容器からの流体が、流入通路２１６を通って収容部２０２に入り始める。液体及び気体の両方を包含しうるこの流体は、収容部２０２の開口部２２０を通過し、ドリップチャンバ２０８と、ドリップチャンバ２０８の第２端部２２８における開口部に連結された（不図示の）菅部分とを充填し始める。患者の使用のためにシステムを準備するには気体が管から実質的になくなるべきであり、これは、気体が管から実質的に抜けてシステムの管が液体で充填されるまで、液体を流体容器から管に流すことで行われる。このプロセスが、流体送達システムのプライミングと呼ばれる。
【００３０】
流体送達システムは、管の第２端部を連結管２５８の流入孔２３８に連結することでプライミングされる。プライミングを開始するには、弾性チャンバ２０４が、流体で少なくとも部分的に充填されていなければならない。幾つかの実施例では、流体は、流体容器又はドリップチャンバ２０８を圧縮することで弾性チャンバ２０４内へと運ばれる。一実施例では、流体は、弾性チャンバ２０４を圧縮及び解放することで弾性チャンバ２０４内へと引き込まれる。流体は、圧縮された弾性チャンバ２０４がその中間形状に戻るにつれて、流体容器から弾性チャンバ２０４内へと引き込まれる。いずれの場合にも、流体は、弾性チャンバ２０４に入るときに流入孔２３８の逆止弁２０６を通過する。次に、弾性チャンバ２０４が圧縮されることで、液体及び気体が弾性チャンバ２０４の流出孔２４０を通って運ばれる。液体及び気体は、逆止弁２０６によって、流入孔２３８を通って弾性チャンバ２０４から出てしまうのを防止又は妨害される。そして、流出孔２４０を通って弾性チャンバ２０４を出た液体及び気体は、収容部２０２の流出通路２１８を通って流体容器内へと案内される。
【００３１】
弾性チャンバ２０４が繰り返し圧縮及び解放されるにつれて、流体容器からの液体がプライミングシステム内へと引き込まれ、液体と気体とを包含する流体が流体容器内へと戻る。気体が流体送達システム内に存在しなくなるか、納得できる水準まで（例えば、システムの管の隅々まで、目に見える気泡又は気体のポケットが実質的にないように）減少すると、管の第２端部は流入孔２３８から取り外され、カテーテル、ポンプ、又は、患者に流体を送達する他の送達装置へと案内し直されてもよい。
【００３２】
図５〜図８を参照すると、弾性チャンバ３０４と逆止弁３０６とを有するプライミング装置の実施例が示されている。プライミング装置は、流体容器の孔へと挿入されるように構成されたスパイク部３１４を有する収容部３０２を含む。収容部から遠位のスパイク部３１４の先端が、流入通路３１６と流出通路３１８とを含む。収容部は、流入通路３１６と流体連結される開口部３２０を更に含む。
【００３３】
以下に明確に否定されるものを除いて、図２〜図４Ｂに示す特定の実施例に対して上述されているものと同様に、スパイク部３１４が流体容器の孔へと挿入されると、流入通路３１６は、流体容器内から収容部３０２に入るような、又は収容部３０２から容器内へと移動するような流体の案内を可能にする。流出通路３１８も、収容部３０２と流体容器との間の流体案内を可能にする。
【００３４】
スパイク部３１４の先端に対向する収容部３０２の一部が、開口部３２０の周囲に周隆起３２４を形成する。長尺の円筒を形成するドリップチャンバ３０８が、収容部３０２の開口部３２０に連結される。ドリップチャンバ３０８の開口第１端部３２６が、開口部３２０がドリップチャンバ２０８と流体連結されるように周隆起３２４に挿嵌される。
【００３５】
幾つかの実施例では、収容部の一部が、スパイク部３１４によって画定される軸線から径方向外方に延在して、基部３４８を形成する。収容部３０２から遠位の基部３４８の端部が、台座３３４を形成する平坦表面を備える。基部３４８は、基部３４８の台座３３４の同軸上を通って延在する流体通路を形成する流入孔３３８と流出孔３４０とを含む。
【００３６】
図６〜図８を参照すると、弾性チャンバ３０４は、逆止弁３０６が流体容器と弾性チャンバ３０４との間にあるように収容部３０２の台座３３４に連結される。逆止弁３０６は、流体容器から弾性チャンバ３０４に向かう方向のみに流体の流れを限定し、弾性チャンバ３０４内の圧力が上昇したとき（例えば弾性チャンバ３０４が圧縮されたとき）に流体が流入通路３１６を通って流体容器に向かって流れるのを防止する。
【００３７】
弾性チャンバ３０４は、ドーム部分と、ドーム部分に対向する開口部とを有する円筒のような形状である。フランジ３３２が、開口部を囲んで弾性チャンバ３０４から径方向外方に延在する。弾性チャンバ３０４は、円筒壁とドーム部分とが、拡張又は圧縮された後に中間形状に戻るように、弾性材料を備える。材料及び形状は、弾性チャンバ３０４が、圧縮によって変形した後に、流体容器から流体を引き込むのに十分な拡張力を有するように選択される。幾つかの実施例では、材料は、図２〜図４Ｂに関連して上述されたものと同じか、構造的及び／又は機能的に同等である。
【００３８】
弾性チャンバ３０４の開口部が台座３３４に対して配置されると、弾性チャンバ３０４の開口部は台座３３４によって受容されて封止される。フランジ３３２の表面によって形成された平面が、台座３３４の外周の周囲に形成された隆起内に受容される。弾性チャンバ３０４は、弾性チャンバ３０４の周囲に延在して台座３３４の隆起部分と連結する周保持リング３３６によって、台座３３４に対して保持される。保持リング３３６が台座３３４に連結されると、フランジ３３２が保持リング３３６と台座３３４との間に捕らえられて流体密閉を形成する。
【００３９】
流入孔３３８は、基部３４８と台座３３４とを通って延在する。逆止弁３０６は流入孔３３８内に保持されることで、弾性チャンバ３０４に向かう方向のみに流体の流れを限定する。
【００４０】
弾性チャンバ３０４が圧縮されるとチャンバ内の圧力が上昇する。上昇した圧力によって流体がチャンバの外に運ばれる。流入孔３３８内に逆止弁３０６があることから、流体は弾性チャンバ２０４から流出孔３４０を通って案内される。
【００４１】
幾つかの実施例では、流入孔３３８は無針医療接続器３１２を含む。無針医療接続器３１２は、流入孔３３６内に設置された弁３４６を含む。弁３４６は、密閉位置では流入孔３３８を密閉し、弁３４６は、開弁位置では流入孔３３８を密閉しない。
【００４２】
図７Ｂ及び図８を参照すると、流出孔３４０は、スパイク部３１４の流出通路３１８と流体連結される。図６を参照すると、流出孔３４０は、台座３３４の平坦表面を通って延在する窪みのような形状であり、部分的に、収容部３０２のスパイク部３１４に向かう方向で基部３４８内へと向かう。幾つかの実施例では、流出孔３４０は逆止弁３４４を含み、弾性チャンバ３０４から離れる方向のみに、逆止弁３４４を通る流体の流れを限定する。幾つかの実施例では、逆止弁３０６はダックビル型逆止弁である。しかし、逆止弁３０６は、傘型弁又はディスク弁といった、一般に流体を弁の一方向のみに流通させる任意の種類の弁であってもよい。
【００４３】
幾つかの実施例では、逆止弁３４４は受け台３５０内に固定され、受け台３５０はそこを通る流体通路を有する。一実施例では、受け台３５０は円筒のような形状であり、円筒壁を通る切欠きをもった開口第１端部と、円筒の周囲から部分的に内方に延在する周隆起をもった開口第２端部とを有する。そして、受け台３５０の開口第１端部は、流体が受け台３５０の開口第２端部と逆止弁３４４とを流通できるように、その内部の逆止弁３４４と共に流出孔３４０へと挿入される。幾つかの実施例では、受け台３５０は、台座３３４の平坦表面から流出孔３４４内へと圧入される。幾つかの実施例では、受け台３５０は、結合材料又は他の超音波溶接によって流出孔３４４に連結される。
【００４４】
図７Ａ及び７Ｂを参照すると、開口位置及び閉鎖位置にある保持部材３５２がそれぞれ示されている。幾つかの実施例では、保持部材３５２は、開口第１端部と閉鎖第２端部と内部空洞とを有する円筒形状である。保持部材３５２の開口第１端部は、弾性チャンバ３０４の断面よりも大きい内部断面幅を備える。突起３５４が、閉鎖第２端部の内面から内部空洞内へと延在する。閉鎖位置では、保持部材３５２の開口第１端部が、弾性チャンバ３０４が内部空洞内へと延在するように収容部３０２へと取り付けられる。閉鎖位置では、突起３５４が、壁及びドーム部分の拡張を妨害するように弾性チャンバ３０４に係合する。幾つかの実施例では、突起３５４は、保持部材３５２が閉鎖位置にあるときに弾性チャンバ３０４のドームに対して逆向きに配向されるドームである。幾つかの実施例では、保持部材３５２の開口第１端部と閉鎖第２端部との間の距離が、閉鎖位置において内面が弾性チャンバ３０４に係合するように、弾性チャンバ３０４の長さよりも短い。保持部材３５２は、好適にはヒンジ３５６によって収容部３０２に連結される。幾つかの実施例では、保持部材３５２はリビングヒンジ３５６によって保持リング３３６に回転可能に連結される。幾つかの実施例では、保持部材３５２の開口第１端部及び保持リング３３６は、保持部材３５２を保持リング３３６にねじ止めできるように対のねじ山を備える。
【００４５】
動作中、スパイク部３１４は、流入通路３１６及び流出通路３１８が流体容器と流体連通するように、流体容器の孔へと挿入される（不図示）。流体容器からの流体が、流入通路３１６を通って収容部３０２に入り始める。液体及び気体の両方を包含しうるこの流体は、収容部３０２の開口部３２０を通過し、ドリップチャンバ３０８と、ドリップチャンバ３０８の第２端部３２８における開口部に連結された（不図示の）菅部分とを充填し始める。気体を抜くために、流体送達システムは必ずプライミングされなければならない。
【００４６】
流体送達システムは、管の第２端部を台座３３４の流入孔３３８に連結することでプライミングされる。プライミングを開始するには、弾性チャンバ３０４が、流体で少なくとも部分的に充填されていなければならない。幾つかの実施例では、流体は、流体容器又はドリップチャンバ３０８を圧縮することで弾性チャンバ３０４内へと運ばれる。幾つかの実施例では、流体は、弾性チャンバ３０４を圧縮及び解放することで弾性チャンバ３０４内へと引き込まれる。流体は、圧縮された弾性チャンバ３０４がその中間形状に戻るにつれて、流体容器から弾性チャンバ３０４内へと引き込まれる。いずれの場合にも、流体は、弾性チャンバ３０４に入るときに流入孔３３８の逆止弁３０６を通過する。次に、弾性チャンバ３０４が圧縮されることで、液体及び気体が弾性チャンバ３０４の流出孔３４０を通って運ばれる。液体及び気体は、逆止弁３０６によって、流入孔３３８を通って弾性チャンバ３０４から出てしまうのを防止又は妨害される。そして、流出孔３４０を通って弾性チャンバ３０４を出た液体及び気体は、収容部３０２の流出通路３１８を通って流体容器内へと案内される。
【００４７】
弾性チャンバ３０４が繰り返し圧縮及び解放されるにつれて、流体容器からの液体がプライミングシステム内へと引き込まれ、液体と気体とを包含する流体が流体容器内へと戻る。気体が流体送達システム内に存在しなくなるか、納得できる水準まで減少すると、管の第２端部は流入孔３３８から取り外され、カテーテル、ポンプ、又は、患者に流体を送達する他の送達装置へと案内し直されてもよい。また、保持部材３５２は、弾性チャンバ３０４の圧縮が維持されるように収容部３０２に取り付けられ、弾性チャンバ３０４への接近が防止される。弾性チャンバ３０４を圧縮状態に維持することで、プライミング後の装置内に残る送達できなかった流体の量を低減する。
【００４８】
図９〜図１１を参照すると、弾性チャンバ４０４と逆止弁４０６とを有するプライミング装置の実施例が示されている。プライミング装置は、流体容器の孔へと挿入されるように構成されたスパイク部４１４を有する収容部４０２を含む。収容部から遠位のスパイク部４１４の先端が、流入通路４１６と流出通路４１８とを含む。収容部は、流入通路４１６と流体連結される開口部４２０と、流出口４１８と流体連結される収容孔４２２とを更に含む。
【００４９】
スパイク部４１４が流体容器の孔へと挿入されると（不図示）、流入通路４１６は、流体容器内から収容部４０２に入るような流体の案内を可能にし、流出口４１８は、流体が収容部４０２から流体容器内へと戻るのを可能にする。
【００５０】
スパイク部４１４の先端に対向する収容部４０２の一部が、開口部４２０の周囲に周隆起４２４を形成する。長尺の円筒を形成するドリップチャンバ４０８が、収容部４０２の開口部４２０に連結される。ドリップチャンバ４０８の開口第１端部４２６が、開口部４２０がドリップチャンバ４０８と流体連結されるように周隆起４２４に挿嵌される。
【００５１】
弾性チャンバ４０４は、逆止弁４０６が流体容器と弾性チャンバ４０４との間にあるように、連結管４５８を通して収容孔４２２に流体連結される。逆止弁４０６は、流体容器から弾性チャンバ４０４に向かう方向のみに流体の流れを限定し、弾性チャンバ４０４内の圧力が上昇したとき（例えば弾性チャンバ４０４が拡張されたとき）に流体が流入通路４１６を通って流体容器に向かって流れるのを防止する。
【００５２】
弾性チャンバ４０４は、可撓性の壁を有する袋又は風船である。弾性チャンバ４０４は、壁が、拡張又は圧縮された後に中間形状に戻るように、弾性材料を備える。材料及び形状は、弾性チャンバ４０４が、拡張した後に、流体を弾性チャンバ４０４の外に運んで流体容器内へと運ぶのに十分な復元力を有するように選択される。幾つかの実施例では、弾性チャンバ２４４はナイロン、ポリウレタン、ポリエチレンテレフタレート（ＰＥＴ）又はポリ塩化ビニルから構成される。しかし、弾性チャンバ４０４は他のエラストマーであってもよい。幾つかの実施例では、弾性チャンバ４０４の厚さは０．０１５’’（０．０４ｃｍ）〜０．１００’’（０．２５ｃｍ）であり、Ａ２０〜Ａ８０のショア硬度を有する。
【００５３】
図１１を参照すると、連結管４５８は、開口流入端部と、流入端部に対向する開口流出端部とをもった円筒形状に形成される。流入孔４３８は、連結管の内面に沿った周隆起によって形成され、流入端部から或る距離だけずれる。流出孔４４０が、連結管の内面に沿った周隆起によって形成され、流出端部から或る距離だけずれる。連結管４５８内で、流入孔４３８と流出孔４４０との間に中間チャンバ４６４が形成される。弾性チャンバ４０４は、連結管４５８の壁を通って中間チャンバ４６４内へと延在する通路に連結される。
【００５４】
逆止弁４０６は、連結管４５８内で、流入端部４６０と流入孔４３８との間に保持されることで、連結管４５８を通って流入端部４６０から中間チャンバ４６４に向かう方向のみに流体の流れを限定する。弾性チャンバ４０４が拡張されるとチャンバ内の圧力が上昇する。弾性チャンバ４０４の復元力が壁を圧縮するにつれて、圧力によって流体が弾性チャンバ４０４の外に運ばれる。流入孔４３８内に逆止弁４０６があることから、流体は弾性チャンバ４０４から流出孔４４０を通って案内される。
【００５５】
幾つかの実施例では、流入端部４６０は無針医療接続器４１２を含む。無針医療接続器４１２は、連結管４５８内で、流入端部４６０と流入孔４３６との間に設置された弁４４６を含む。弁４４６は、密閉位置では流入孔４３８を密閉し、弁４４６は、開弁位置では流入孔４３８を密閉しない。
【００５６】
幾つかの実施例では、流出孔４４０は、逆止弁４４４を含むことで、連結管４５８を通って弾性チャンバ４０４から中間チャンバ４６４に向かう方向のみに流体の流れを限定する。幾つかの実施例では、逆止弁４４４は、流出孔４４０と収容孔４２２との連結内、又は収容部４０２の流出通路４１８内に保持される。幾つかの実施例では、逆止弁４０６及び４４４はダックビル型逆止弁である。しかし、逆止弁４０６及び４４４は、傘型弁又はディスク弁といった、一般に流体を弁の一方向のみに流通させる任意の種類の弁であってもよい。
【００５７】
動作中、スパイク部４１４は、流入通路４１６及び流出通路４１８が流体容器と流体連通するように、流体容器の孔へと挿入される（不図示）。流体容器からの流体が、流入通路４１６を通って収容部４０２に入り始める。液体及び気体の両方を包含しうるこの流体は、収容部４０２の開口部４２０を通過し、ドリップチャンバ４０８と、ドリップチャンバ４０８の第２端部４２８における開口部に連結された（不図示の）菅部分とを充填し始める。気体を抜くために、流体送達システムは必ずプライミングされなければならない。
【００５８】
流体送達システムは、管の第２端部を連結管４５８の流入孔４３８に連結することでプライミングされる。プライミングを開始するには、弾性チャンバ４０４が、流体で少なくとも部分的に充填されていなければならない。幾つかの実施例では、流体は、流体容器又はドリップチャンバ４０８を圧縮することで弾性チャンバ４０４内へと運ばれる。流体は、弾性チャンバ４０４に入るときに流入孔４３８の逆止弁４０６を通過する。例えば流体容器又はドリップチャンバ４０８の圧縮を停止することで、流体を弾性チャンバ４０４内へと運ぶのを終えた後、弾性チャンバ４０４の復元力によって、液体及び気体が弾性チャンバ４０４から流出孔４４０を通って運ばれる。液体及び気体は、逆止弁４０６によって、流入孔４３８を通って連結管４５８から出てしまうのを防止される。そして、弾性チャンバ４０４を出て流出孔４４０を通った液体及び気体は、収容部４０２の流出通路４１８を通って流体容器内へと案内される。
【００５９】
弾性チャンバ４０４が繰り返し圧縮及び解放されるにつれて、又は流体容器が圧縮されるにつれて、流体容器からの液体がプライミングシステム内へと引き込まれ、液体と気体とを包含する流体が流体容器内へと戻る。気体が流体送達システム内に存在しなくなるか、納得できる水準まで減少すると、管の第２端部は流入孔４３８から取り外され、カテーテル、ポンプ、又は、患者に流体を送達する他の送達装置へと案内し直されてもよい。弾性チャンバ４０４がその復元力によって中間形状へと戻ることから、弾性チャンバ４０４内に残る送達できなかった流体の量が低減する。
【００６０】
図１２〜図１４を参照すると、弾性チャンバ５０４と逆止弁５０６とを有するプライミング装置の実施例が示されている。プライミング装置は、流体容器の孔へと挿入されるように構成されたスパイク部５１４を有する収容部５０２を含む（不図示）。収容部から遠位のスパイク部５１４の先端が、流入通路５１６と流出通路５１８とを含む。収容部は、流入通路２１６と流体連結される開口部５２０と、流出通路５１８と流体連結される収容孔５２２とを更に含む。
【００６１】
スパイク部５１４が流体容器の孔へと挿入されると、流入通路５１６は、流体容器内から収容部５０２に入るような流体の案内を可能にし、流出口５１８は、流体が収容部５０２から流体容器内へと戻るのを可能にする。
【００６２】
逆止弁５０６は、流体容器と弾性チャンバ５０４との間にある流入通路５１６に連結される。逆止弁５０６は、流体容器から弾性チャンバ５０４に向かう方向のみに流体の流れを限定し、弾性チャンバ５０４内の圧力が上昇したとき（例えば弾性チャンバ５０４が圧縮されたとき）に流体が流入通路５１６を通って流体容器に向かって流れるのを防止する。
【００６３】
スパイク部５１４の先端に対向する収容部５０２の一部が、開口部５２０の周囲に周隆起５２４を形成する。長尺の円筒を形成する弾性チャンバ５０４（例えばドリップチャンバ又はプライミングバルブ）が、周隆起５２４に取り付けられて収容部５０２の開口部５２０と流体連結される。弾性チャンバ５０４の開口第１端部５２６が、開口部５２０が弾性チャンバ５０４と流体連結されるように周隆起５２４に挿嵌される。弾性チャンバ５０４は、円筒壁が、拡張又は圧縮された後に中間形状に戻るように、弾性材料を備える。材料及び形状は、弾性チャンバ５０４が、圧縮によって変形した後に、流体容器から流体を引き込むのに十分な拡張力を有するように選択される。
【００６４】
逆止弁５０６が開口部５２０内に保持されることで、収容部５０２を通って流入通路５１６から弾性チャンバ５０４に向かう方向のみに流体の流れを限定する。幾つかの実施例では、逆止弁５０６は受け台５５０内に固定され、受け台５５０はそこを通る流体通路を有する。一実施例では、受け台５５０は円筒のような形状であり、開口第１端部と、円筒の周囲から部分的に内方に延在する周隆起をもった開口第２端部とを有する。受け台５５０の開口第１端部は、逆止弁５０６が開口部５２０と開口第２端部の周隆起との間に保持されるように、開口部５２０の周囲に取り付けられる。一実施例では、受け台５５０は開口部５２０へと圧入される。
【００６５】
収容孔５２２は、逆止弁５４４を含むことで、収容孔５２２から流出口５１８に向かう方向のみに流体の流れを限定する。一実施例では、逆止弁５０６及び５４４はダックビル型逆止弁である。しかし、逆止弁５０６及び５４４は、傘型弁又はディスク弁といった、一般に流体を弁の一方向のみに流通させる任意の種類の弁であってもよい。幾つかの実施例では、収容孔５２２は無針医療接続器５１２を含む。無針医療接続器５１２は、収容孔５２２と逆止弁５４４との間に設置された弁５４６を含む。弁５４６は、密閉位置では収容孔５２２を密閉し、弁５４６は、開弁位置では収容孔５２２を密閉しない。
【００６６】
動作中、スパイク部５１４は、流入通路５１６及び流出通路５１８が流体容器と流体連通するように、流体容器の孔へと挿入される（不図示）。流体容器からの流体が、流入通路５１６を通って収容部５０２に入り始める。流体は収容部５０２の開口部５２０を通過し、弾性チャンバ５０４の第２端部５２８に連結された弾性チャンバ５０４を充填し始める。初めに弾性チャンバ５０４を充填し始める流体は、液体及び気体の両方を包含してもよい。気体を抜くために、流体送達システムは必ずプライミングされなければならない。
【００６７】
流体送達システムは、弾性チャンバ５０４の第２端部５２８を、管を介して収容孔５２２と連結することでプライミングされる。プライミングを開始するには、弾性チャンバ５０４が、流体で少なくとも部分的に充填されていなければならない。幾つかの実施例では、流体は、流体容器を圧縮することで弾性チャンバ５０４内へと引き込まれる。幾つかの実施例では、流体は、弾性チャンバ５０４を圧縮及び解放することで弾性チャンバ５０４内へと引き込まれる。流体は、圧縮された弾性チャンバ５０４がその中間形状に戻るにつれて、流体容器から弾性チャンバ５０４内へと引き込まれる。いずれの場合にも、流体は、弾性チャンバ５０４に入るときに開口部５２０における逆止弁５０６を通過する。次に、弾性チャンバ５０４が圧縮されることで、液体及び気体が弾性チャンバ５０４の第２端部５２８を通って運ばれる。液体及び気体は、逆止弁５０６によって、流入孔５３８を通って弾性チャンバ５０４から出てしまうのを防止又は妨害される。そして、第２端部５２８を通って弾性チャンバ５０４を出た液体及び気体は、管から収容孔５２２を通って流体容器内へと案内される。
【００６８】
弾性チャンバ５０４が繰り返し圧縮及び解放されるにつれて、流体容器からの液体がプライミングシステム内へと引き込まれ、液体と気体とを包含する流体が流体容器内へと戻る。気体が流体送達システム内に存在しなくなるか、納得できる水準まで減少すると、管は収容孔５２２から取り外され、カテーテル、ポンプ、又は、患者に流体を送達する他の送達装置へと案内し直されてもよい。
【００６９】
図１５及び図１６を参照すると、弾性チャンバ６０４と逆止弁６０６とを有するプライミング装置の実施例が示されている。プライミング装置は、開口第１端部と開口第２端部とを有する、円筒形状に形成された弾性チャンバ６０４を含む。弾性チャンバ６０４は、円筒壁が、拡張又は圧縮された後に中間形状に戻るように、弾性材料を備える。材料及び形状は、弾性チャンバ６０４が、圧縮によって変形した後に、流体容器から流体を引き込むのに十分な拡張力を有するように選択される。
【００７０】
流体容器と弾性チャンバ６０４との間で、逆止弁６０６は、流体容器から弾性チャンバ６０４に向かう方向のみに流体の流れを限定し、流体が、チャンバ内の圧力が上昇したとき（例えば弾性チャンバ６０４が圧縮されたとき）に弾性チャンバ６０４の流入通路６１６を通って流体容器に向かって流れるのを防止する。
【００７１】
流入孔６３８が弾性チャンバ６０４の第１端部に連結され、流出孔６４０が弾性チャンバ６０４の第２端部に連結される。流入孔６３８と流出孔６４０とのそれぞれが、第１部分と第２部分とを備える。流入通路６１６が流入孔６３８の第１部分及び第２部分を通って延在し、流出通路６１８が流出孔６４０の第１部分及び第２部分を通って延在する。
【００７２】
流入孔６３８と流出孔６４０との第１部分は、外側円筒壁に囲まれた内側円筒壁を備える。内側円筒壁の外径は、管が、第１部分に連結されたときに、内側円筒壁と外側円筒壁との間に延在するように、管の内径よりも小さい。流入孔６３８と流出孔６４０との第２部分は、外側円筒壁に囲まれた内側円筒壁を備える。内側円筒壁の外径は、弾性チャンバ６０４が、第２部分に連結されたときに、内側円筒壁と外側円筒壁との間に延在するように、弾性チャンバ６０４円筒壁の内径よりも小さい。弁座６６８が、流入孔６３８の第２部分において流入通路６１６の周囲に延在する。弁座６６８は、弁座６６８内に保持された逆止弁６０６の外側断面幅以上の内側断面幅を有する。
【００７３】
幾つかの実施例では、逆止弁６０６は受け台６５０によって弁座内に固定され、受け台６５０はそこを通る流体通路を有する。一実施例では、受け台６５０は円筒のような形状であり、開口第１端部と、円筒の周囲から部分的に内方に延在する隆起をもった開口第２端部とを有する。受け台６５０の開口第１端部は、逆止弁６０６が弁座と受け台６５０の隆起との間に保持されるように、弁座６６８の周囲に取り付けられる。
【００７４】
逆止弁６０６は、流入孔６３８を通って弾性チャンバ６０４に向かう方向のみに流体の流れを限定する。弾性チャンバ６０４が圧縮されるとチャンバ内の圧力が上昇する。上昇した圧力によって流体が弾性チャンバ６０４の外に運ばれる。流入孔６３８内に逆止弁６０６があることから、流体は弾性チャンバ６０４から流出孔６４０を通って案内される。
【００７５】
流出孔６４０における弁座６６９の深さは、流入孔６３８における弁座６６８の深さよりも深い。弁座６６９の深さがより深いことで、逆止弁６４４を、弾性チャンバ６０４から流出孔６４０を通る方向のみに流体の流れを可能にする配向で配置することが可能になる。
【００７６】
幾つかの実施例では、逆止弁６０６及び６４４はダックビル型逆止弁である。しかし、逆止弁６０６及び６４４は、傘型弁又はディスク弁といった、一般に流体を弁の一方向のみに流通させる任意の種類の弁であってもよい。
【００７７】
動作中、流入孔６３８は、流入通路６１６が流体容器と流体連通するように、流体容器と流体連結される（不図示）。流体容器からの流体が、流入通路６１６及び逆止弁６０６を通過して弾性チャンバ６０４に入り始める。初めに弾性チャンバ６０４を充填し始める流体は、液体及び気体の両方を包含してもよい。気体を抜くために、流体送達システムは必ずプライミングされなければならない。
【００７８】
流体送達システムは、流出孔６４０を、管を介して流体容器と連結することでプライミングされる。プライミングを開始するには、弾性チャンバ６０４が、流体で部分的に充填されていなければならない。幾つかの実施例では、流体は、流体容器を圧縮することで弾性チャンバ６０４内へと運ばれる。幾つかの実施例では、流体は、弾性チャンバ６０４を圧縮及び解放することで、弾性チャンバ６０４内へと引き込まれる。流体は、圧縮された弾性チャンバ６０４がその中間形状に戻るにつれて、流体容器から弾性チャンバ６０４内へと引き込まれる。いずれの場合にも、流体は、弾性チャンバ６０４に入るときに逆止弁６０６を通過する。次に、弾性チャンバ６０４が圧縮されることで、液体及び気体が弾性チャンバ６０４の流出通路６１８を通って運ばれる。液体及び気体は、逆止弁６０６によって、流入通路６１６を通って弾性チャンバ６０４から出てしまうのを防止又は妨害される。そして、流出通路６１８を通って弾性チャンバ６０４を出た液体及び気体は、流出孔６４０から管を通って流体容器へと案内される。
【００７９】
弾性チャンバ６０４が繰り返し圧縮及び解放されるにつれて、流体容器からの液体がプライミングシステム内へと引き込まれ、液体と気体とを包含する流体が流体容器内へと戻る。気体が流体送達システム内に存在しなくなるか、納得できる水準まで減少すると、管は流体容器から取り外され、カテーテル、ポンプ、又は、患者に流体を送達する他の送達装置へと案内し直されてもよい。
【００８０】
図１７〜図２１を参照すると、弾性チャンバ７０４と逆止弁７０６とを有するプライミング装置の実施例が示されている。プライミング装置は、流入通路７１６と流出通路７１８とを有する収容部７０２を含む。流入通路７１６は流入孔７３８から弾性チャンバ７０４まで延在し、流体容器から流体を受け取るように構成されている。流出通路７１８は弾性チャンバ７０４から流出孔７４１まで延在し、流体を弾性チャンバ７０４から離れるように案内するように構成されている。
【００８１】
流体容器と弾性チャンバ７０４との間で、逆止弁７０６は流入孔７１６に連結される。逆止弁７０６は、流体容器から弾性チャンバ７０４に向かう方向のみに流体の流れを限定し、流体が、弾性チャンバ７０４内の圧力が上昇したとき（例えば弾性チャンバ７０４が圧縮されたとき）に流入通路７１６を通って流体容器に向かって流れるのを防止する。
【００８２】
流入孔７３８及び流出孔７４０は、外側円筒壁に囲まれた内側円筒壁を備える。内側円筒壁の外径は、管が、第１部分に連結されたときに、内側円筒壁と外側円筒壁との間に延在するように、管の内径よりも小さい。
【００８３】
収容部７０２の一部が、弾性チャンバ７０４を収容部７０２に連結するための台座７３４を形成する平坦表面を備える。流入通路７１６及び流出通路７１８は台座７３４の同軸上を通って延在する。弁座７６８及び７６９が、流入通路７１６及び流出通路７１８の台座７３４との交差点にそれぞれ形成される。
【００８４】
弾性チャンバ７０４は、ドーム部分と、ドーム部分に対向する開口部とを有する円筒のような形状である。フランジ７３２が、開口部を囲んで弾性チャンバ７０４から径方向外方に延在する。弾性チャンバ７０４は、円筒壁とドーム部分とが、拡張又は圧縮された後に中間形状に戻るように、弾性材料を備える。材料及び形状は、弾性チャンバ７０４が、圧縮によって変形した後に、流入孔７３８に連結された流体容器から流体を引き込むのに十分な拡張力を有するように選択される。幾つかの実施例では、材料は、図２〜図８に示す実施例で上述されたものと同じか、構造的及び／又は機能的に同等である。
【００８５】
弾性チャンバ７０４の開口部が台座７３４に対して配置されると、弾性チャンバ７０４の開口部は台座７３４によって受容されて封止される。フランジ７３２の表面によって形成された平面が、台座７３４の外周の周囲に形成された隆起内に受容される。弾性チャンバ７０４は、弾性チャンバ７０４の周囲に延在して台座７３４の隆起部分と連結する周保持リング７３６によって、台座７３４に対して保持される。保持リング７３６が台座７３４に連結されると、フランジ７３２が保持リング７３６と台座７３４との間に捕らえられて流体密閉を形成する。
【００８６】
幾つかの実施例では、流出通路７１８は逆止弁７４４を含むことで、弾性チャンバ７０４から流出孔７４０に向かう方向のみに流体の流れを限定する。弾性チャンバ７０４が圧縮されるとチャンバ内の圧力が上昇する。上昇した圧力によって流体が弾性チャンバ７０４の外に運ばれる。流入孔７３８内に逆止弁７０６があることから、流体は弾性チャンバ７０４から流出孔７４０を通って案内される。幾つかの実施例では、逆止弁７０６及び７４４はダックビル型逆止弁である。しかし、逆止弁７０６及び７４４は、傘型弁又はディスク弁といった、一般に流体を弁の一方向のみに流通させる任意の種類の弁であってもよい。
【００８７】
幾つかの実施例では、逆止弁７０６及び７４４の両方が、受け台７５１によって弁座７６８及び７６９内に保持され、受け台７５１はそこを通る１つ以上の流体通路を有する。受け台７５１はカップのような形状であり、開口第１端部と、円筒の第２端部から部分的に内方に延在する隆起をもった開口第２端部とを有する。そして、受け台７５１の開口第１端部は、弁座７６８及び７６９へと挿入されて、逆止弁７０６及び７４４を保持する。弁座７６８及び７６９に取り付けられる際、流入通路７１６の逆止弁７０６は受け台７５１の開口第２端部を通って延在し、同時に、流出通路７１８の逆止弁７４４は受け台３５０から離間する。幾つかの実施例では、各逆止弁７０６及び７４４は、個別の受け台７５１によって弁座７６８及び７６９内に保持されてもよい。
【００８８】
動作中、流入孔７３８は、流入通路７１６が流体容器と流体連通するように、流体容器と流体連結される（不図示）。流体容器からの流体が、流入通路７１６及び逆止弁７０６を通過して弾性チャンバ７０４に入り始める。初めに弾性チャンバ７０４を充填し始める流体は、液体及び気体の両方を包含してもよい。気体を抜くために、流体送達システムは必ずプライミングされなければならない。
【００８９】
流体送達システムは、流出孔７４０を、管を介して流体容器と連結することでプライミングされる。プライミングを開始するには、弾性チャンバ７０４が、流体で少なくとも部分的に充填されていなければならない。幾つかの実施例では、流体は、流体容器を圧縮することで弾性チャンバ７０４内へと運ばれる。幾つかの実施例では、流体は、弾性チャンバ７０４を圧縮及び解放することで、弾性チャンバ７０４内へと引き込まれる。流体は、圧縮された弾性チャンバ７０４がその中間形状に戻るにつれて、流体容器から弾性チャンバ７０４内へと引き込まれる。いずれの場合にも、流体は、弾性チャンバ７０４に入るときに逆止弁７０６を通過する。次に、弾性チャンバ７０４が圧縮されることで、液体及び気体が弾性チャンバ７０４の流出通路７１８を通って運ばれる。液体及び気体は、逆止弁７０６によって、流入通路７１６を通って弾性チャンバ７０４から出てしまうのを防止又は妨害される。そして、流出通路７１８を通って弾性チャンバ７０４を出た液体及び気体は、流出孔７４０から管を通って流体容器へと案内される。
【００９０】
弾性チャンバ７０４が繰り返し圧縮及び解放されるにつれて、流体容器からの液体がプライミングシステム内へと引き込まれ、液体と気体とを包含する流体が流体容器内へと戻る。気体が流体送達システム内に存在しなくなるか、納得できる水準まで減少すると、管は流体容器から取り外され、カテーテル、ポンプ、又は、患者に流体を送達する他の送達装置へと案内し直されてもよい。
【００９１】
上述の説明は、本明細書に説明される様々な構成を当業者が実施することが可能となるように提供される。本主題の技術は様々な図面及び構成を参照して具体的に説明されてきたが、これらは例示のみを目的とし、本主題の技術の範囲を限定するものとして受け止められるべきではないことが理解されよう。
【００９２】
本主題の技術を実現するには多くの他の方法がある。本明細書に説明される様々な機能及び要素は、本主題の技術の範囲から逸脱することなく、示されるものとは異なるように仕切られてもよい。これらの構成の様々な変形例が当業者に対して容易に明らかになると考えられ、また、本明細書に説明される包括的な原理が他の構成に適用されてもよい。このため、本主題の技術に対する多くの変更及び変形例が、当分野の通常の技術を有する者によって、本主題の技術の範囲を逸脱することなく作られてもよい。
【００９３】
開示されるプロセスにおける工程の具体的な順序又は序列は、例示的な方法の例示と理解される。設計の好ましさに基づくと、プロセスにおける工程の具体的な順序又は序列は再構成されてもよいことが理解される。工程の幾つかは同時に実行されてもよい。添付の方法クレームは、見本の順序における様々な工程の要素を提示し、これらは、提示される具体的な順序又は序列に限定することを意味するものではない。
【００９４】
本明細書で使用されるような、一連の項目から続く表現「の少なくとも１つ」には、それらの項目のいずれかを分離する用語「及び」又は「又は」が伴い、その一覧の各要素（例えば各項目）ではなく一覧全体を変更する。表現「の少なくとも１つ」は、一覧の各項目の少なくとも１つを選択することを要求するのではなく、むしろ、この表現は、項目のいずれか１つを少なくとも１つ、及び／又は、項目の任意の組み合わせの少なくとも１つ、及び／又は、項目のそれぞれの内の少なくとも１つを含む意味を許容する。例としては、表現「Ａ、Ｂ及びＣの少なくとも１つ」又は「Ａ、Ｂ又はＣの少なくとも１つ」は、それぞれ、Ａのみ、Ｂのみ又はＣのみを意味してもよいし、ＡとＢとＣとの任意の組み合わせを意味してもよいし、Ａ、Ｂ及びＣのそれぞれの少なくとも１つを意味してもよい。
【００９５】
本開示で使用されるような「上」、「底」、「前」及び「後」等といった用語は、通常の重力の枠組みではなく任意の枠組みを参照することが理解されよう。このため、上面、底面、前面及び後面は、重力の枠組みにおける上方、下方、対角線上又は水平方向に延在してもよい。
【００９６】
また、用語「含む」又は「有する」等が説明又は請求項で使用される範囲において、こうした用語は、用語「備える」が、請求項内での暫定的な語として採用された場合に解釈されるように、「備える」と同様の手法で包括されるようになっている。
【００９７】
本明細書では、語「例示的」は「例、場合又は例示として機能する」ことを意味するように使用される。本明細書で「例示的」として説明される任意の実施例は、他の実施例よりも好適又は有利なものとして解釈されなくてもよい。
【００９８】
単数形の要素の参照は、特にそのような記載がない限りは「１つ及び１つのみ」を意味するようになってはおらず、むしろ「１つ以上」を意味するようになっている。男性代名詞（例えば、彼の）には女性及び中性（例えば、彼女の及びそれの）が含まれ、その逆も然りである。用語「幾つか」は１つ以上を参照する。下線及び／又は斜体の見出し及び小見出しは利便性のためのみに用いられ、本主題の技術を限定するものではなく、本主題の技術の説明を解釈に関連して参照されるものではない。本開示を通して説明される様々な構成の要素に対する、当業者にとって既知である又は後から既知となる全ての構造的且つ機能的な同等性は、参照によって本明細書に明確に組み込まれ、本主題の技術によって包含されるようになっている。また、本明細書に開示されるものは、いずれも、こうした開示が上述の説明内に明確に記されているか否かに関わらず、公共に対して限定されるものではない。
【００９９】
本主題の技術の或る態様及び実施例が説明されてきたが、これらはほんの一例として提示されており、本主題の技術の範囲を限定しようとするものではない。実際、本明細書に記載される新たな方法及びシステムが、本主題の技術の精神から逸脱することなく、様々な他の形態に実現されてもよい。添付の請求項及びその同等性は、本主題の技術の範囲及び精神内に収められるように、こうした形態又は変形例を網羅するようになっている。
【図１Ａ】
2018515242.tif 000003
【図１Ｂ】
2018515242.tif 000004
【図２】
2018515242.tif 000005
【図３】
2018515242.tif 000006
【図４Ａ】
2018515242.tif 000007
【図４Ｂ】
2018515242.tif 000008
【図５】
2018515242.tif 000009
【図６】
2018515242.tif 000010
【図７Ａ】
2018515242.tif 000011
【図７Ｂ】
2018515242.tif 000012
【図８】
2018515242.tif 000013
【図９】
2018515242.tif 000014
【図１０】
2018515242.tif 000015
【図１１】
2018515242.tif 000016
【図１２】
2018515242.tif 000017
【図１３】
2018515242.tif 000018
【図１４】
2018515242.tif 000019
【図１５】
2018515242.tif 000020
【図１６】
2018515242.tif 000021
【図１７】
2018515242.tif 000022
【図１８】
2018515242.tif 000023
【図１９】
2018515242.tif 000024
【図２０】
2018515242.tif 000025
【図２１】
2018515242.tif 000026
【国際調査報告】
2018515242.tif 000027
2018515242.tif 000028